(57)【特許請求の範囲】
【請求項１】
中空箱状のキャビネット本体と、このキャビネット本体に引出し可能に設けられた複数の引出部とを備えたキャビネットにおいて、
前記引出部は、キャビネット本体の前面側に露出する前板と、この前板の背面に取り付けられて収納物を収納する引出本体とを備え、左右に隣り合う前記引出部の前板は、それぞれ左右の長さが等しくかつ仮想線に対して左右対称に配置され、左右に隣り合う前記引出部の引出本体は、前記仮想線に対して非対称に配置され、
左右に隣り合う前記引出部のうち、一方の引出部の引出本体の左右長さが、他方の引出部の引出本体の左右長さより長くなっており、
一方の前記引出部の引出本体が、前記前板の上端より下方になるようにして、該前板の背面に取り付けられていることを特徴とするキャビネット。
【請求項２】
請求項１記載のキャビネットにおいて、前記キャビネット本体の上面には、シンクを備えた天板が設けられており、前記シンクは一方の引出部の引出本体の上方に配置されていることを特徴とするキャビネット。
【請求項３】
中空箱状のキャビネット本体と、このキャビネット本体に引出し可能に設けられた複数の引出部とを備えたキャビネットにおいて、前記引出部は、キャビネット本体の前面側に露出する前板と、この前板の背面に取り付けられて収納物を収納する引出本体とを備え、上下に隣り合う前記引出部の前板は、それぞれ上下の長さが等しく、上下に隣り合う前記引出部は、それぞれの前板に対する引出本体の取付高さが互いに異なることを特徴とするキャビネット。
【請求項４】
請求項３記載のキャビネットにおいて、最下段の引出部は、前記キャビネット本体の底部の直上に備えられ、最下段の引出部の底部は、同引出部の前板の下端よりも下方とされているとともに、最下段の引出部の引出本体の、同引出部の前板より下方に位置する部位の前面には、この前板より引出本体側に蹴込板が備えられていることを特徴とするキャビネット。
【請求項５】
請求項１〜４のいずれかに記載のキャビネットにおいて、前記引出部の引出本体の上方でかつ前板の上端より下方には、収納棚がキャビネット本体に支持された状態で設けられていることを特徴とするキャビネット。
【発明の詳細な説明】
【０００１】
【発明の属する技術分野】
本発明は、収納物を収納するための複数の引出部を備えるキャビネット、特に、システムキッチンの構成部材として、上面にシンク（流し台）を備える天板が設けられたキャビネットに関する。
【０００２】
【背景の技術】
通常、システムキッチンにおいては、作業台となる天板の下部を収納空間としたキャビネットが利用されている。天板にはシンクが設けられるが、このシンクは、前記収納空間の内部に張り出すように設置されるので、キャビネット内部には、収納に利用することのできないデッドスペースが生じる。
そこで、このキャビネットを引出式とする場合、引出の幅や高さは、その上方に設けられたシンクの幅や深さと干渉しないように決定されていた。このため、引出前面の前板の幅や高さが不均一となりやすく、キャビネット前面の意匠性を損なうことがあった。
【０００３】
【発明が解決しようとする課題】
本発明の課題は、システムキッチンの天板からキャビネット内部に張り出したシンクによるデッドスペースなど、キャビネット内部の構造に関わらず、キャビネットに備えられた複数の引出部の前板の幅や高さを決定することができ、これら前板を規則的に配列することでキャビネット前面の意匠性を確保できるキャビネットを提供することである。
【０００４】
【課題を解決するための手段】
上記の課題を解決するため、請求項１記載の発明は、例えば図２〜図５に示すように、中空箱状のキャビネット本体２と、このキャビネット本体２に引出し可能に設けられた複数の引出部３〜６とを備えたキャビネット１において、前記引出部３，４は、キャビネット本体２の前面側に露出する前板３１，４１と、この前板３１，４１の背面に取り付けられて収納物を収納する引出本体３２，４２とを備え、左右に隣り合う前記引出部３，４の前板３１，４１は、それぞれ左右の長さ３１Ｗ，４１Ｗが等しくかつ仮想線ＶＬに対して左右対称に配置され、左右に隣り合う前記引出部３，４の引出本体３２，４２は、前記仮想線ＶＬに対して非対称に配置され、
左右に隣り合う前記引出部３，４のうち、一方の引出部４の引出本体４２の左右の長さ４２Ｗが、他方の引出部３の引出本体３２の左右の長さ３２Ｗより長くなっており、
一方の前記引出部４の引出本体４２が、前記前板４１の上端より下方になるようにして、該前板４１の背面に取り付けられていることを特徴とする。
【０００５】
この請求項１記載の発明によれば、左右に隣り合う引出部３，４の前板３１，４１は、それぞれ左右の長さ３１Ｗ，４１Ｗが等しくかつ仮想線ＶＬに対して左右対称に配置されるとともに、左右に隣り合う前記引出部３，４の引出本体３２，４２は、前記仮想線ＶＬに対して非対称に配置されているので、左右に隣り合う引出部３，４の引出本体３２，４２の左右の長さ３２Ｗ，４２Ｗや配置間隔が不均一であっても、前板３１，４１の左右の長さ３１Ｗ，４１Ｗや配置間隔を均一にすることができ、キャビネット１前面の意匠性が良くなる。
【０００７】
また、左右に隣り合う引出部３，４の引出本体３２，４２の左右の長さ３２Ｗ，４２Ｗが不均一であっても、前板３１，４１の左右の長さ３１Ｗ，４１Ｗを均一にすることができ、キャビネット１前面の意匠性が良くなる。
【０００９】
また、一方の前記引出部４の引出本体４２が、前記前板４１の上端より下方になるようにして、該前板４１の背面に取り付けられているので、キャビネット本体２内部の引出部４の引出本体４２の上方に、収納空間として利用できないデッドスペースがある場合にも、前板４１によって、このデッドスペースの前面が覆われる。よって、前板４１の上下の長さを、引出部４の左右に隣り合う引出部３，４の引出本体３２，４２の一方（引出本体４２）のみの上方に、上記デッドスペースがある場合にも、引出部３，４の前板３１，４１の上下の長さ３１Ｈ、４１Ｈを揃えることができ、キャビネット１前面の意匠性が良くなる。
【００１０】
請求項２記載の発明は、例えば図２〜図５，図８に示すように、請求項１記載のキャビネット１において、前記キャビネット本体２の上面には、シンク７１を備えた天板７が設けられており、前記シンク７１は一方の引出部４の引出本体４２の上方に配置されていることを特徴とする。
【００１１】
この請求項２記載の発明によれば、請求項１と同様の効果が得られるとともに、前記キャビネット本体２の上面には、シンク７１を備えた天板７が設けられており、前記シンク７１は一方の引出部４の引出本体４２の上方に配置されているので、シンクの幅を、その下方に配置されている引出部４の前板４１の左右の長さ４１Ｗよりも大きくすることができる。
【００１２】
請求項３記載の発明は、例えば図７（または図８）に示すように、中空箱状のキャビネット本体２と、このキャビネット本体２に引出し可能に設けられた複数の引出部３〜６とを備えたキャビネット１において、前記引出部３〜６は、キャビネット本体２の前面側に露出する前板３１，４１，５１，６１と、この前板３１，４１，５１，６１の背面に取り付けられて収納物を収納する引出本体３２，４２，５２，６２とを備え、上下に隣り合う前記引出部３，５（または４，６）の前板は、それぞれ上下の長さ３１Ｈ，５１Ｈ（４１Ｈ，６１Ｈ）が等しく、上下に隣り合う前記引出部３，５（４，６）は、それぞれの前板３１，５１（４１，６１）に対する引出本体３２，５２（４２，６２）の取付高さが互いに異なることを特徴とする。
【００１３】
この請求項３記載の発明によれば、上下に隣り合う引出部３，５（または４，６）の前板は、それぞれ上下の長さ３１Ｈ，５１Ｈ（４１Ｈ，６１Ｈ）が等しく、上下に隣り合う引出部３，５（４，６）は、それぞれの前板３１，５１（４１，６１）に対する引出本体３２，５２（４２，６２）の取付高さが互いに異なるので、上下に隣り合う引出部３，５（４，６）の引出本体３２，５２（４２，６２）の上下の長さ３２Ｈ，５２Ｈ（４２Ｈ，６２Ｈ）や配置間隔が不均一であっても、前板の上下の長さ３１Ｈ，４１Ｈや配置間隔を均一にすることができ、キャビネット１前面の意匠性が良くなる。
【００１４】
請求項４記載の発明は、例えば図７（または図８，図９）に示すように、請求項３記載のキャビネット１において、最下段の引出部５（または６）は、前記キャビネット本体２の底部の直上に備えられ、最下段の引出部５（６）の底部５Ｂ（６Ｂ）は、同引出部５（６）の前板５１（６１）の下端よりも下方とされているとともに、最下段の引出部５（６）の引出本体５２（６２）の、同引出部５（６）の前板５１（６１）より下方に位置する部位の前面には、この前板５１（６１）より引出本体５２（６２）側に蹴込板５３（６３）が備えられていることを特徴とする。
【００１５】
この請求項４記載の発明によれば、請求項３と同様の効果が得られるとともに、最下段の引出部５（または６）は、前記キャビネット本体２の底部の直上に備えられているので、キャビネット本体２の内部を、その底部（すなわちキャビネット１が設置される床面の近傍）まで、収納空間として利用できる。また、最下段の引出部５（６）の底部５Ｂ（６Ｂ）は、同引出部５（６）の前板５１（６１）の下端よりも下方とされているとともに、最下段の引出部５（６）の引出本体５２（６２）の、同引出部５（６）の前板５１（６１）より下方に位置する部位の前面には、この前板５１（６１）より引出本体５２（６２）側に蹴込板５３（６３）が備えられているので、キャビネット１の天板７を使用して作業を行う際、作業者が、足の爪先を、最下段の引出部５（６）の前板５１（６１）の下方にまで自由に動かすことができ、作業性が向上する。また、最下段の引出部５（６）に蹴込板５３（６３）が設けられていても、上下に隣り合う引出部３，５（４，６）の前板３１，５１（４１，６１）の上下の長さ３１Ｈ，５１Ｈ（４１Ｈ，６１Ｈ）は等しいので、キャビネット１前面の意匠性が良くなる。
【００１６】
請求項５記載の発明は、例えば図４，図７に示すように、請求項１〜４のいずれかに記載のキャビネット１において、前記引出部３（または５）の引出本体３２（５２）の上方でかつ前板３１（５１）の上端より下方には、収納棚８（９）がキャビネット本体２に支持された状態で設けられていることを特徴とする。
【００１７】
ここで、前記収納棚８（９）は、キャビネット本体２に対して固定された状態で支持されていてもよいし、キャビネット本体２に対して可動な状態で支持されていてもよい。
例えば、収納棚８（９）を引出式とし、キャビネット本体２から引き出すことを可能としてもよい。
【００１８】
この請求項５記載の発明によれば、請求項１〜４のいずれかと同様の効果が得られるとともに、引出部３（または５）の引出本体３２（５２）の上方でかつ前板３１（５１）の上端より下方には、収納棚８（９）がキャビネット本体２に支持された状態で設けられているので、キャビネット１内部の、引出部３（または５）の引出本体３２（５２）上方の空間を、この部位に設けられた収納棚８（９）により、収納空間として利用できる。
【００１９】
【発明の実施の形態】
以下、図面を参照して、本発明のキャビネットの実施の形態を詳細に説明する。図１，図２はそれぞれ、本実施の形態のキャビネット１を示す斜視図、正面図である。図３は、同キャビネット１の要部を示す斜視図である。図４、図７、図８は、同キャビネットの縦断面図である。図５、図６は、それぞれ、同キャビネットの平面図、底面図である。図９は、同キャビネット１における引出部６の斜視図である。
【００２０】
本実施の形態のキャビネット１は、図１〜図５に示すように、側板２１〜２３を含む部材を組み合わせて構成された中空箱状のキャビネット本体２と、このキャビネット本体２に引出し可能に設けられた複数の引出部３〜６、および、キャビネット本体２の上面に設けられた、シンク７１を備える天板７とから、概略構成されている。
【００２１】
キャビネット本体２は、図４に示すように、側板２２および２３によって左右に区画され、左右に２列の引出部３，４（または５，６）を格納するようになっている。
側板２３は、図４および図６に示すように、キャビネット本体２の中央（仮想線ＶＬ上）に配置されている。
引出部４の上方に配置されたシンク７１は、図４に示すように、キャビネット本体２内部においてキャビネット本体２の中央（仮想線ＶＬ）よりも左側に張り出している。そこで、側板２３の略上方に位置する側板２２は、図４および図５に示すように、キャビネット本体２の中央（仮想線ＶＬ）よりも左側に寄せて配置されている。
【００２２】
引出部３〜６は、図５〜図８に示すように、それぞれ、キャビネット本体２の前面側に露出する前板３１（左右の長さ，上下の長さ：３１Ｗ，３１Ｈ），４１（同：４１Ｗ，４１Ｈ），５１（同：５１Ｗ，５１Ｈ），６１（同：６１Ｗ，６１Ｈ）と、この前板３１，４１，５１，６１の背面に取り付けられて収納物を収納する引出本体３２（左右の長さ，上下の長さ：３２Ｗ，３２Ｈ），４２（同：４２Ｗ，４２Ｈ），５２（同：５２Ｗ，５２Ｈ），６２（同：６２Ｗ，６２Ｈ）とを備えている。
各引出部３〜６の引出本体３２，４２，５２，６２は、図７または図８に示すように、それぞれ、前板３１，４１，５１，６１の上端より下方になるようにして、この前板３１，４１，５１，６１の背面に取り付けられている。
【００２３】
これら引出部３〜６は、キャビネット本体２の内部に、図４に示すように配列されている。各引出部３〜６の引出本体３２，４２，５２，６２の側面が、キャビネット本体２の側板２１〜２３に、スライドレール（図示は省略）を介して取り付けられることで、各引出部３〜６を、キャビネット本体２に対して引き出したり、押し戻すことが可能とされている。
【００２４】
引出部３〜６の前板３１，４１，５１，６１の左右の長さ３１Ｗ，４１Ｗ，５１Ｗ，６１Ｗおよび上下の長さ３１Ｈ，４１Ｈ，５１Ｈ，６１Ｈは、図５〜図８に示すように、同一寸法に形成されている。
【００２５】
引出部３の引出本体３２の左右の長さ３２Ｗは、図４に示すように、引出部４６の引出本体４２，５２，６２の左右の長さ４２Ｗ，５２Ｗ，６２Ｗよりも短く形成されている。
つまり、左右に隣り合う引出部３，４の前板３１，４１は、それぞれ左右の長さ３１Ｗ，４１Ｗが等しくかつ仮想線ＶＬに対して左右対称に配置され、この引出部３，４の引出本体３２，４２は、前記仮想線ＶＬに対して非対称に配置されている。
【００２６】
下段の引出部５，６は、図４および図７〜図９に示すように、キャビネット本体２の底部の直上に備えられ、下段の引出部５，６の底部５Ｂ，６Ｂは、同引出部５，６の前板５１，６１の下端よりも下方とされているとともに、下段の引出部５，６の引出本体５２，６２の、同引出部５，６の前板５１，６１より下方に位置する部位の前面には、この前板５１，６１より引出本体５２，６２側に蹴込板５３，６３が備えられている。
このことにより、下段の引出部５，６の引出本体５２，６２の上下の長さ５２Ｈ，６２Ｈは、上段の引出部３，４の引出本体３２，４２の引出本体３２，４２の上下の長さ３２Ｈ，４２Ｈよりも長くなっている。
つまり、上下に隣り合う引出部３，５（または４，６）の前板は、それぞれ上下の長さ３１Ｈ，５１Ｈ（４１Ｈ，６１Ｈ）が等しく、この引出部３，５（４，６）は、それぞれの前板３１，５１（４１，６１）に対する引出本体３２，５２（４２，６２）の取付高さが互いに異なる。
【００２７】
また、引出部３，５の引出本体３２，５２の上方でかつ前板３１，５１の上端より下方には、図４および図７に示すように、収納棚８，９がキャビネット本体２に支持された状態で設けられている。
この収納棚８，９は、引出部３〜６と同様、キャビネット本体２の側板２１〜２３に、スライドレール（図示は省略）を介して取り付けられることで、キャビネット本体２に対して引き出したり、押し戻すことが可能とされている。
【００２８】
以上、本実施の形態に記載のキャビネットによれば、左右に隣り合う引出部３，４の前板３１，４１は、それぞれ左右の長さ３１Ｗ，４１Ｗが等しくかつ仮想線ＶＬに対して左右対称に配置されるとともに、左右に隣り合う前記引出部３，４の引出本体３２，４２は、前記仮想線ＶＬに対して非対称に配置されているので、左右に隣り合う引出部３，４の引出本体３２，４２の左右の長さ３２Ｗ，４２Ｗや配置間隔が不均一であっても、前板３１，４１の左右の長さ３１Ｗ，４１Ｗや配置間隔を均一にすることができ、キャビネット１前面の意匠性が良くなる。
【００２９】
また、左右に隣り合う引出部３，４の引出本体３２，４２の左右の長さ３２Ｗ，４２Ｗが不均一であっても、前板３１，４１の左右の長さ３１Ｗ，４１Ｗを均一にすることができ、キャビネット１前面の意匠性が良くなる。
【００３０】
また、一方の前記引出部４の引出本体４２が、前記前板４１の上端より下方になるようにして、該前板４１の背面に取り付けられているので、キャビネット本体２内部の引出部４の引出本体４２の上方に、収納空間として利用できないデッドスペースがある場合にも、前板４１によって、このデッドスペースの前面が覆われる。
よって、前板４１の上下の長さを、引出部４の左右に隣り合う引出部３，４の引出本体３２，４２の一方（引出本体４２）のみの上方に、上記デッドスペースがある場合にも、引出部３，４の前板３１，４１の上下の長さ３１Ｈ、４１Ｈを揃えることができ、キャビネット１前面の意匠性が良くなる。
【００３１】
また、前記キャビネット本体２の上面には、シンク７１を備えた天板７が設けられており、前記シンク７１は一方の引出部４の引出本体４２の上方に配置されているので、シンクの幅を、その下方に配置されている引出部４の前板４１の左右の長さ４１Ｗよりも大きくすることができる。
【００３２】
また、上下に隣り合う引出部３，５（または４，６）の前板は、それぞれ上下の長さ３Ｈ，５Ｈ（４Ｈ，６Ｈ）が等しく、上下に隣り合う引出部３，５（４，６）は、それぞれの前板３１，５１（４１，６１）に対する引出本体３２，５２（４２，６２）の取付高さが互いに異なるので、上下に隣り合う引出部３，５（４，６）の引出本体３２，５２（４２，６２）の上下の長さ３２Ｈ，５２Ｈ（４２Ｈ，６２Ｈ）や配置間隔が不均一であっても、前板の上下の長さ３１Ｈ，４１Ｈや配置間隔を均一にすることができ、キャビネット１前面の意匠性が良くなる。
【００３３】
また、最下段の引出部５（または６）は、前記キャビネット本体２の底部の直上に備えられているので、キャビネット本体２の内部を、その底部（すなわちキャビネット１が設置される床面の近傍）まで、収納空間として利用できる。
また、最下段の引出部５（６）の底部５Ｂ（６Ｂ）は、同引出部５（６）の前板５１（６１）の下端よりも下方とされているとともに、最下段の引出部５（６）の引出本体５２（６２）の、同引出部５（６）の前板５１（６１）より下方に位置する部位の前面には、この前板５１（６１）より引出本体５２（６２）側に蹴込板５３（６３）が備えられているので、キャビネット１の天板７を使用して作業を行う際、作業者が、足の爪先を、最下段の引出部５（６）の前板５１（６１）の下方にまで自由に動かすことができ、作業性が向上する。
また、最下段の引出部５（６）に蹴込板５３（６３）が設けられていても、上下に隣り合う引出部３，５（４，６）の前板３１，５１（４１，６１）の上下の長さ３１Ｈ，５１Ｈ（４１Ｈ，６１Ｈ）は等しいので、キャビネット１前面の意匠性が良くなる。
【００３４】
また、引出部３（または５）の引出本体３２（５２）の上方でかつ前板３１（５１）の上端より下方には、収納棚８（９）がキャビネット本体２に支持された状態で設けられているので、キャビネット１内部の、引出部３（または５）の引出本体３２（５２）上方の空間を、この部位に設けられた収納棚８（９）により、収納空間として利用できる。
【００３５】
なお、本発明は上記の実施の形態に限定されることなく、本発明の主旨を逸脱しない範囲において、種々の改良並びに設計の変更を行ってもよい。
例えば、上記の実施の形態においては、図４に示すように、シンク７１は、キャビネット本体２内部においてキャビネット本体２の中央（仮想線ＶＬ）よりも左側に若干張り出している程度であるが、側板２２をより左側に寄せることによって、キャビネット１前面に表れる引出部３〜６の前板３１，４１，５１，６１の割付を変えることなく、更に幅広のシンクを設置できるのはもちろんである。
また、収納棚８，９を、キャビネット本体２に固定的に支持された状態で設け、キャビネットの構造を単純にしてもよい。
その他、具体的な細部構造などについても適宜に変更可能であることは勿論である。
【００３６】
【発明の効果】
請求項１記載の発明によれば、左右に隣り合う引出部の前板は、それぞれ左右の長さが等しくかつ仮想線に対して左右対称に配置されるとともに、左右に隣り合う前記引出部の引出本体は、前記仮想線に対して非対称に配置されているので、左右に隣り合う引出部の引出本体の左右の長さや配置間隔が不均一であっても、前板の左右の長さや配置間隔を均一にすることができ、キャビネット前面の意匠性が良くなる。
【００３７】
また、左右に隣り合う引出部の引出本体の左右の長さが不均一であっても、前板の左右の長さを均一にすることができ、キャビネット前面の意匠性が良くなる。
【００３８】
また、一方の前記引出部の引出本体が、前記前板の上端より下方になるようにして、該前板の背面に取り付けられているので、キャビネット本体内部の引出部の引出本体の上方に、収納空間として利用できないデッドスペースがある場合にも、前板によって、このデッドスペースの前面が覆われる。よって、前板の上下の長さを、引出部の左右に隣り合う引出部の引出本体の一方のみの上方に、上記デッドスペースがある場合にも、引出部の前板の上下の長さを揃えることができ、キャビネット前面の意匠性が良くなる。
【００３９】
請求項２記載の発明によれば、請求項１と同様の効果が得られるとともに、前記キャビネット本体の上面には、シンクを備えた天板が設けられており、前記シンクは一方の引出部の引出本体の上方に配置されているので、シンクの幅を、その下方に配置されている引出部の前板の左右の長さよりも大きくすることができる。
【００４０】
請求項３記載の発明によれば、上下に隣り合う引出部の前板は、それぞれ上下の長さが等しく、上下に隣り合う引出部は、それぞれの前板に対する引出本体の取付高さが互いに異なるので、上下に隣り合う引出部の引出本体の上下の長さや配置間隔が不均一であっても、前板の上下の長さや配置間隔を均一にすることができ、キャビネット前面の意匠性が良くなる。
【００４１】
請求項４記載の発明によれば、請求項３と同様の効果が得られるとともに、最下段の引出部は、前記キャビネット本体の底部の直上に備えられているので、キャビネット本体の内部を、その底部（すなわちキャビネットが設置される床面の近傍）まで、収納空間として利用できる。また、最下段の引出部の底部は、同引出部の前板の下端よりも下方とされているとともに、最下段の引出部の引出本体の、同引出部の前板より下方に位置する部位の前面には、この前板より引出本体側に蹴込板が備えられているので、キャビネット１の天板７を使用して作業を行う際、作業者が、足の爪先を、最下段の引出部の前板の下方にまで自由に動かすことができ、作業性が向上する。また、最下段の引出部に蹴込板が設けられていても、上下に隣り合う引出部の前板の上下の長さは等しいので、キャビネット前面の意匠性が良くなる。
【００４２】
請求項５記載の発明によれば、請求項１〜４のいずれかと同様の効果が得られるとともに、引出部の引出本体の上方でかつ前板の上端より下方には、収納棚がキャビネット本体に支持された状態で設けられているので、キャビネット内部の、引出部の引出本体上方の空間を、この部位に設けられた収納棚により、収納空間として利用できる。
【図面の簡単な説明】
【図１】本発明のキャビネットの一例の斜視図である。
【図２】本発明のキャビネットの一例の正面図である。
【図３】本発明のキャビネットの一例の要部を示す、斜視図である。
【図４】本発明のキャビネットの一例の縦断面図である。
【図５】本発明のキャビネットの一例の平面図である。
【図６】本発明のキャビネットの一例の底面図である。
【図７】本発明のキャビネットの一例の縦断面図である。
【図８】本発明のキャビネットの一例の縦断面図である。
【図９】本発明のキャビネットの一例における引出部の斜視図である。
【符号の説明】
１            キャビネット
２            キャビネット本体
３〜６        引出部
５Ｂ，６Ｂ    底部
７            天板
８，９        収納棚
３１，４１，５１，６１    前板
３１Ｗ，４１Ｗ            （前板の）左右の長さ
３１Ｈ，４１Ｈ，５１Ｈ，６１Ｈ    （前板の）上下の長さ
３２，４２，５２，６２    引出本体
３２Ｗ，４２Ｗ            （引出本体の）左右の長さ
３１Ｗ，４１，５１，６１    前板
５３，６３    蹴込板
７１          シンク
ＶＬ          仮想線
【図１】
0004648563.tif 000002
【図２】
0004648563.tif 000003
【図３】
0004648563.tif 000004
【図４】
0004648563.tif 000005
【図５】
0004648563.tif 000006
【図６】
0004648563.tif 000007
【図７】
0004648563.tif 000008
【図８】
0004648563.tif 000009
【図９】
0004648563.tif 000010